(57)【要約】      （修正有）【課題】現在使用している照明台を使用して照明角度を変更もしくは調整することができる蛍光灯回転装置を提供する。【解決手段】蛍光灯回転装置１は、少なくとも透光管体１０、該透光管体内部に設置する発光モジュール、二個の固定端子台３０及び二組の回転ユニット４０を含む。該透光管体の両端は開口部１１を備え、二個の固定端子台は両端の開口部箇所にそれぞれ組み立て定位し、二組の回転ユニットは、それぞれ該固定端子台と該開口部に設置し、該透光管体を該回転ユニットの作動によって該固定端子台に相対して回転動作を形成し、照明角度を変える。【選択図】図１
0003172983.tif 000002
【実用新案登録請求の範囲】
【請求項１】
蛍光灯回転装置において、少なくとも、
透光性材質で構成された中空管構造を備え、両端には開口部を備える透光管体と、
回路板及び該回路板上に設置する複数の発光ダイオードを含み、該透光管体内部に組み入れる発行モジュールと、
該透光管体両端の開口部にそれぞれ組み入れて定位する二個の固定端子台と、
該固定端子台と該開口部間にそれぞれ設置し、且つ一側は該透光管体と相互干渉し、該透光管体を該回転ユニットの作動によって該固定端子台に対して回転動作を形成する二組の回転ユニットを含むことを特徴とする蛍光灯回転装置。
【請求項２】
前記回転ユニットは、歯型板及び枢設軸を設置し、該歯型板は複数の凹槽を設置し、該歯型板の一側面は該透光管体の開口部と相互干渉し、該枢設軸は該歯型板の別一側面上に位置し、該枢設軸は該固定端子台上に枢設し、該固定端子台の内側には定位部品を設置し、該定位部品は該歯型板の凹槽と相対して噛み合うことを特徴とする請求項１記載の蛍光灯回転装置。
【請求項３】
前記透光管体は、内部に二凸条を成形し、該歯型板は該開口部に向かい、且つ各凸条に相対する上方に定位柱を成形し、該回路板を各凸条と該定位柱間に相対して設置することを特徴とする請求項２記載の蛍光灯回転装置。
【請求項４】
前記歯型板は、二停止面を設置することを特徴とする請求項２もしくは３記載の蛍光灯回転装置。
【請求項５】
前記回転ユニットは、本体及び導入部を設置し、該本体の一側面は該透光管体の開口部と相互干渉し、該導入部は該本体の別一側面に位置し、該固定端子台の内側は複数の案内槽を設置し、該導入部は該固定端子台の案内槽と相互に噛み合うことを特徴とする請求項１記載の蛍光灯回転装置。
【請求項６】
前記本体は環状槽を設置し、該固定端子台の内側は少なくとも一掛合部を設置し、該掛合部は該環状槽内に掛合することを特徴とする請求項５記載の蛍光灯回転装置。
【請求項７】
前記固定端子台内側の複数の掛合部は、環状経路上に相対して設置することを特徴とする請求項５記載の蛍光灯回転装置。
【請求項８】
前記固定端子台は内側に二停止面を設置することを特徴とする請求項５、６、７記載の蛍光灯回転装置。
【請求項９】
前記本体は一側面に該開口部と合わさる上、下弧形部を成形し、且つ上、下弧形部間には間隙を備え、該回路板を上、下弧形部間の間隙に相対して設置することを特徴とする請求項５、６、７記載の蛍光灯回転装置。
【請求項１０】
前記回転ユニットは、本体、枢設軸及び一板片を設置し、該本体の一側面は該透光管体の開口部と相互干渉し、該枢設軸は該本体の別一側面に位置し、該枢設軸は該板片上に枢設し、該板片は該固定端子台の内側に固定し、該本体と該板片間に相互に合わさる凸部及び凹部を成形することを特徴とする請求項１記載の蛍光灯回転装置。
【請求項１１】
前記本体上に複数の環状排列した凹部を設置し、該板片上には該凹部と相互に合わさる凸部を設置することを特徴とする請求項１０記載の蛍光灯回転装置。
【請求項１２】
前記板片上には複数の環状排列した凹部を設置し、該本体上には該凹部と合わさる凸部を設置することを特徴とする請求項１０記載の蛍光灯回転装置。
【請求項１３】
前記板片は少なくとも一固定部品を該固定端子台の内側に固定し、該本体は板片一側に向かって円弧形槽を成形し、該固定部品は該固定端子台外部から該板片へ向かって固定し、且つ該固定部品の末端は該円弧形槽に挿入して出すことを特徴とする請求項１０、１１、１２記載の蛍光灯回転装置。
【請求項１４】
前記本体の一側面には該開口部と相互に合わさる弧形板片を成形し、また該透光管体内部は二凸条を対応して成形し、該弧形板片を該開口部に差し入れた後、二凸条上で掛合することを特徴とする請求項１３記載の蛍光灯回転装置。
【請求項１５】
前記固定端子台は、外側に二本の導電端子を設置し、該回転ユニットは少なくとも一穿孔を設置し、該導電端子と該透光管体内部の回路板を連接することを特徴とする請求項１、２、５もしくは１０記載の蛍光灯回転装置。
【考案の詳細な説明】
【技術分野】
【０００１】
本考案は、蛍光灯回転装置に関するもので、特に照明角度を変える蛍光灯回転装置に係わる。
【背景技術】
【０００２】
発光ダイオードは、一種固形態の半導体部品であり、電流がダイオード内を通過して発生する二個キャリアーが相互に結合し、エネルギーを光の形式で放出する。体積が軽く、反応速度が早く環境を汚さない等の特徴を備えることから発光ダイオードの応用領域は各産業界で広がっている。確かに初期には輝度不足と発光効率の低さがネックとなっていたが、その後の発展により、高力率の発光ダイオードが現れ、上述の亮度不足の問題を解決し、ダイオードは徐々に高効率照明光源市場へも進出し、伝統的なタングステン照明にとって変わりつつあり、将来は主力を占めると思わる。
【０００３】
しかしながら、多くの消費者は旧来通り伝統的な照明具を使用していて、短期間内では使用している伝統的照明具は壊れないので、多くの消費者は新しいLED照明具に改めていない。現在市場で広く使用されている蛍光灯構造は、該蛍光灯に通常照明台を設置して使用する。該照明台は相当長い時間壊れることはないが、伝統的蛍光灯は消耗品であるため、一般に一定期間(約１年)使用すると、壊れて交換する必要がある。
【０００４】
前述の状況から、遂に産業界では、LED蛍光灯構造を開発し、消費者は伝統の照明台上に直接LED蛍光灯を設置して使用でき、従来の照明台を処分しなくてもいいので、資源を節約でき、またLED蛍光灯の長所を享受することができる。
【考案の概要】
【考案が解決しようとする課題】
【０００５】
解決しようとする問題点は、現行の蛍光灯の規格で発光ダイオード(LED)を光源に改めた場合、現在使用している照明台を使用することができるが、照明角度を変更もしくは調整することができず、使用上不便である点である。
【課題を解決するための手段】
【０００６】
本考案は、少なくとも透光管体、該透光管体内部に設置する発光モジュール、二個の固定端子台及び二組の回転ユニットを含む。該透光管体の両端は開口部を備え、二個の固定端子台は両端の開口部箇所にそれぞれ組み立て定位し、二組の回転ユニットは、それぞれ該固定端子台と該開口部に設置し、該透光管体を該回転ユニットの作動によって該固定端子台に相対して回転動作を形成し、照明角度を変えることを最も主要な特徴とする。
【考案の効果】
【０００７】
本考案の蛍光灯回転装置は、現在使用している照明台を使用して照明角度を変更もしくは調整することができるという利点がある。
【図面の簡単な説明】
【０００８】
【図１】本考案の第一実施例蛍光灯回転装置の構造分解図である。
【図２】本考案の第一実施例蛍光灯回転装置の構造指示図である。
【図３】本考案の第一実施例蛍光灯回転装置の回転指示図である。
【図４】本考案の第二実施例蛍光灯回転装置の構造分解図である。
【図５】本考案の第二実施例蛍光灯回転装置の構造断面図である。
【図６】本考案の第二実施例蛍光灯回転装置の構造指示図である。
【図７】本考案の第二実施例蛍光灯回転装置の回転指示図である。
【図８】本考案の第三実施例蛍光灯回転装置の構造分解図である。
【図９】本考案の第三実施例蛍光灯回転装置の構造断面図である。
【図１０】本考案の第三実施例蛍光灯回転装置の構造指示図である。
【図１１】本考案の第三実施例蛍光灯回転装置の回転指示図である。
【考案を実施するための形態】
【０００９】
本考案の蛍光灯回転装置は、一種の照明角度を変える蛍光灯回転装置である。
【００１０】
本考案の蛍光灯回転装置は、少なくとも透光管体、発光モジュール、二個の固定端子台及び二組の回転ユニットを含む。該透光管体は両端に開口部を備え、該発光モジュールは該透光管体内部に設置し、二個の固定端子台は該透光管体両端の開口部にそれぞれ設置して固定する。また二組の回転ユニットは、該固定端子台と該開口部間にそれぞれ設置し、且つ該回転ユニット一側は、該透光管体と相互干渉し、該透光管体を該回転ユニットの作動によって該固定端子台に相対して回転動作を形成し、構造が簡単で結合が安定し、照明角度を変える蛍光灯回転装置を提供する。
【実施例１】
【００１１】
図１は本考案第一実施例の発光ダイオードの構造分解図及び図２は本考案第一実施例の発光ダイオードの構造指示図であり、本考案の蛍光灯回転装置１は、透光管体１０、発光モジュール２０、二個の固定端子台３０及び二組の回転ユニット４０を含む。そのうち、
【００１２】
該透光管体１０は、透光性材質を備えて構成された中空管構造で、該透光管体１０両端は開口部１１を備え、該透光管体内には二凸条１２が成形される。
【００１３】
該発光モジュール２０は、回路板２１及び該回路板２１上に設置する複数の発光ダイオード２２を含み、該発光モジュール２０は該透光管体１０内部に設置し、該回路板２１は該凸条１２に設置する。
【００１４】
二個の固定端子台３０は、該透光管体両端の開口部１１にそれぞれ嵌合して定位し、該固定端子台３０の外側には二本の導電端子３１を設置する。
【００１５】
二組の回転ユニット４０は、それぞれ該固定端子台３０と該開口部１１間に設置し、図に示す実施例に於いては、該回転ユニット４０は歯型板４１及び枢設軸４２を設置する。該歯型板４１は、複数の凹槽４１１を設置し、該歯型板４１の一側面は該開口部１１箇所に向き、且つ各凸条１２に相対する上方には定位柱４１３を成形する。該回路板２１は各凸条１２と該定位柱４１３間に相対して設置し、それらによって該歯型板４１と該透光管体１０は相互干渉し、該枢設軸４２は該歯型板４１の別一側面上に位置し、該枢設軸４２は該固定端子台３０上に枢設する。該固定端子台３０内側には定位部品３２を設置し、該定位部品３２は該歯型板の凹槽４１１と相対して噛み合い、また該回転ユニットの歯型板４１及び枢設軸４２は少なくとも一穿孔４７を穿設し、該導電端子３１と該透光管体内部の回路板２１を連接する(図未提示)。
【００１６】
使用時、両端の固定端子台３０を一般の蛍光灯の照明台上(図未提示)に固定し、使用者が照明角度を調整する時、該透光管体１０に対して力を加え、該透光管体１０を両端面上の該枢設軸４２を軸心として回転させ、両端面上の該歯型板４１は時に回転動作を行う。両端面上に位置する該定位部品３２は、それぞれ該歯型板４１の開始位置からその他の対応する凹槽４１１内に回転移動させ、該定位部品３２をその他の対応する凹槽４１１内に位置し、図３に示すとおり、該透光管体１０は対応する位置の角度に至る。使用者が要求に基づいて該透光管体を該回転ユニットの作動から該固定端子台に対して回転動作を行い、本考案の蛍光灯回転装置の照明角度を調整して良好な照明度を達成する。
【００１７】
更に、該歯型板４１は二停止面４１２を設置し、該透光管体１０が回転動作をした時、両端面上の該歯型板４１は同時に回転移動すする。該定位部品３２が停止面４１２のうちの一つに当たった時、該透光管体１０の回転動作を停止させ、使用者が該透光管体１０の角度を回しすぎて本考案の回転蛍光灯装置を壊してしまうことを防止する。
【実施例２】
【００１８】
図４から図６は、本考案の第二実施例である。該回転ユニット４０は本体４３及び導入部４４を設置し、該本体４３の一側面には該開口部１１と相互に合う上、下弧形部４３５、４３６を成形し、且つ上、下弧形部４３５、４３６間には間隙を備え、該回路板２１を上、下弧形部４３５、４３６間の間隙に相対して設置し、それらによって該本体４３と該透光管体１０が相互に干渉し、該導入部４４は該本体４３の別一側面上に位置し、該固定端子台３０内側は複数の案内槽３３を設置し、該導入部４４は該固定端子台の案内槽３３と相互に噛み合う。また該本体４３上には環状槽４３１を設置し、該固定端子台３０内側は少なくとも一掛合部３４を設置し、該掛合部３４は該環状槽４３１内で相互に掛合する。勿論、該固定端子台内側の複数の掛合部３４は環状経路上に相対して設置する。
【００１９】
使用時、両端の固定端子台３０を一般蛍光灯の照明台上(図未提示)に固定する。使用者が角度を調整したい時、該透光管体１０に対して力を加え、両端面上の該環状槽４３１を用いて各掛合部３４上で該透光管体１０の回転動作を行う。両端面上の該本体４３は同時に回転し、両端面上に位置する該導入部４４は、それぞれがそのうちの一案内槽３３の開始位置から，同時その他の相対する案内槽３３内へ回転移動する。該導入部４４はその他の相対する案内槽３３内に位置し、図７に示すとおり、該透光管体１０は相互に対応する角度に位置する。故に、使用者は使用の要求に基づき、該透光管体を該回転ユニットの作動によって該固定端子台で回転動作し、更に本考案の蛍光灯回転装置の照明角度を調整して最良の照明度を達成する。
【００２０】
更に、該固定端子台３０内側は、二停止面３５を設置し、該透光管体１０が回転を継続する時、両端面上の該導入部４４を同時に回転移動する。該導入部４４が停止面３５のうちのひとつで止まった時、該透光管体１０の回転を停止させ、使用者が該透光管体１０の角度を回しすぎて本考案の回転蛍光灯装置を壊してしまうことを防止する。
【実施例３】
【００２１】
図８から図１０に示すのは本考案の第三実施例である。該回転ユニット４０は、本体４３、枢設軸４２及び板片４５を設置し、そのうち、該本体４３の一側面には該開口部１１と相対する弧形板片４３２を成形し、該透光管体１０内部は二凸条１２を相対して形成し、該弧形板片４３２を該開口部１１に挿入した後二凸条１２上に掛合する。また該本体４３と該透光管体１０は相互干渉し、該枢設軸４２は該本体４３の別一側面上に位置し、該枢設軸４２は該板片４５上に枢設する。該板片４５は該固定端子台３０の内側に固定し、該板片４５は少なくとも一固定部品４６で該固定端子台３０の内側に固定し、該本体と該板片間には相互に合わさる凸部及び凹部を設置し、図に示す実施例では該本体４３上に複数の環状排列した凹部４３３を設置し、該板片４５上には該凹部４３３と相互に合わさる凸部４５１を設置する。
【００２２】
使用時、両端の固定端子台３０を一般蛍光灯の照明台上(図未提示)に固定し、使用者が照明角度を調整したい時、該透光管体１０に向けて力を加え、両端面上の該環状槽４３１を用いて各掛合部３４上で該透光管体１０の回転動作を行い，両端面上の該本体４３も同時に回転する。両端面上に位置する該凸部４５１は、それぞれがそのうちの一凹部４３３の開始位置から同時にその他相対する凹部４３３内へ回転移動し、該凸部４５１がその他相対する凹部４３３内に位置する。図１１に示すとおり、該透光管体１０は相互に対応する角度に位置する。故に使用者は要求に基づいて、該透光管体を該回転ユニットの作動によって該固定端子台に相対して回転動作を形成し、本考案の蛍光灯回転装置の照明角度を調整して最良の照明度を達成する。勿論、該板片上に複数の環状排列した凹部を設置してもよく、該本体上には該凹部と相互に合わさる凸部を設置しても同様の回転定位効果を達成する。
【００２３】
更に該本体４３は板片４５一側に向けて円弧形槽４３４を成形し、固定部品４６を該固定端子台３０外部から該板片４５に向かって固定し、且つ該固定部品４６の末端は該円弧形槽４３４へ差し込む。該透光管体１０が回転動作を継続した時、両端面上の該円弧形槽４３４を本体４３に従って回転移動する。該固定部品４６が該円弧形槽４３４のうち一端面を押さえると、該透光管体１０の該回転動作を止め、使用者が該透光管体１０の角度を回しすぎて本考案の回転蛍光灯装置を壊してしまうことを防止する。
【００２４】
上述のとおり、本考案は別の実施可能な蛍光灯回転装置を提供することができ、法に基づき実用新案登録を申請する。但し、以上の実施説明及び図式に示すとおり、本考案の良好な実施例が本考案を制限することはなく、本考案の構造、装置、特徴等が近似、雷同するものは、全て本考案の目的及び請求範囲内に属することとする。
【符号の説明】
【００２５】
１          蛍光灯回転装置
１０        透光管体
１１        開口部
１２        凸条
２０        発光モジュール
２１        回路板
２２        発光ダイオード
３０        固定端子台
３１        導電端子
３２        定位部品
３３        案内槽
３４        掛合部
３５        停止面
４０        回転ユニット
４１        歯型板
４１１      凹槽
４１２      停止面
４１３      定位柱
４２        枢設軸
４３        本体
４３１      環状槽
４３２      弧形板片
４３３      凹部
４３４      円弧形槽
４３５      上弧形部
４３６      下弧形部
４４        導入部
４５        板片
４５１      凸部
４６        固定部品
４７        穿孔
【図１】
0003172983.tif 000003
【図２】
0003172983.tif 000004
【図３】
0003172983.tif 000005
【図４】
0003172983.tif 000006
【図５】
0003172983.tif 000007
【図６】
0003172983.tif 000008
【図７】
0003172983.tif 000009
【図８】
0003172983.tif 000010
【図９】
0003172983.tif 000011
【図１０】
0003172983.tif 000012
【図１１】
0003172983.tif 000013